(57)【要約】      （修正有）【課題】要求信号品質を満たす無線信号数を増加させ、かつ使用するＩＦ帯の周波数及び数の変更を可能にする。【解決手段】無線端末と無線信号を送受信する基地局の機能が信号処理装置（ＢＢＵ）と複数のアンテナを搭載する無線装置２０（ＲＲＨ）に分割され、ＢＢＵとＲＲＨとを光ファイバで接続して無線信号をアナログＲｏＦ伝送方式でＢＢＵとＲＲＨとの間を伝送する分散型無線通信基地局システムであって、ＢＢＵにおけるＩＦ帯とＢＢ帯との周波数変換部及びＩＦ帯の信号抽出部の前段にＡ／Ｄ変換部を設け、ＲＲＨにおけるＩＦ帯とＲＦ帯との周波数変換部２３，２８及びＩＦ帯の信号抽出部２２の前段にＡ／Ｄ変換部４１，４３を設け、周波数変換及び信号抽出をデジタル上で行い、その後にアナログ信号に戻して光信号又はＲＦ信号に変換する構成とした。【選択図】図５
2015220524.tif 000002
【特許請求の範囲】
【請求項１】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＢＢＵは、
前記ＲＲＨへ送信するデジタル値の電気信号を、前記無線信号ごとに異なるＩＦ（Ｉｎｔｅｒｍｅｄｉａｔｅ  Ｆｒｅｑｕｅｎｃｙ）帯に周波数変換するＩＦ変換部と、
前記ＩＦ変換部からの各信号をアナログ値に変換するアナログ変換部と、
前記アナログ変換部からの電気信号を光信号に変換して前記ＲＲＨに送信する光変換部と、を備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯を、前記複数のアンテナに応じたＲＦ（Ｒａｄｉｏ  Ｆｒｅｑｕｅｎｃｙ）帯に周波数変換するＲＦ変換部と、
前記ＲＦ変換部からの信号をアナログ値に変換して前記アンテナに出力するアナログ変換部と、を備える、
分散型無線通信基地局システム。
【請求項２】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＢＢＵは、
前記ＲＲＨへ送信するデジタル値の電気信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＲＲＨに送信する光変換部と、を備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯を予め定められたＩＦ帯に周波数変換する特定周波数変換部と、
前記特定周波数変換部の出力信号をアナログ値に変換するアナログ変換部と、
前記アナログ変換部からの出力信号を、前記複数のアンテナに応じたＲＦ帯に周波数変するＲＦ変換部と、を備える、
分散型無線通信基地局システム。
【請求項３】
前記ＢＢＵは、
前記ＩＦ変換部の前段に、前記ＲＲＨへ送信する信号電力を、前記ＩＦ変換部の周波数変換する各ＩＦ帯の周波数の高低に応じて調整する電力調整部をさらに備える
ことを特徴とする請求項１又は２に記載の分散型無線通信基地局システム。
【請求項４】
前記ＲＲＨは、
前記信号抽出部の分離した各ＩＦ帯の信号の電力値又はＥＶＭ（Ｅｒｒｏｒ  Ｖｅｃｔｏｒ  Ｍａｇｎｉｔｕｄｅ）値に基づいて、前記電力調整部において各ＩＦ帯の信号電力を調整するための制御信号を生成する制御信号作成部と、
前記制御信号作成部の生成した制御信号を、制御信号送信用のＩＦ帯に変換する制御用ＩＦ変換部と、
前記制御用ＩＦ変換部の出力信号をデジタル値からアナログ値に変換するアナログ変換部と、
前記アナログ変換部からの電気信号を光信号に変換して前記ＢＢＵに送信する光変換部と、
をさらに備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号から前記制御信号送信用のＩＦ帯を分離する制御用信号抽出部と、
前記制御信号抽出部の分離した前記制御信号送信用のＩＦ帯をＢＢ（ｂａｓｅｂａｎｄ）帯に周波数変換する制御用ＢＢ変換部と、
を備え、
前記ＢＢＵにおける前記電力調整部は、前記制御用ＢＢ変換部をからの制御信号に従って、各ＩＦ帯の信号電力を調整する、
請求項３に記載の分散型無線通信基地局システム。
【請求項５】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＲＲＨは、
前記アンテナで受信したそれぞれの前記無線信号をデジタル値に変換するデジタル変換部と、
前記デジタル変換部からの信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＢＢＵに送信する光変換部と、を備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯をＢＢ（ｂａｓｅｂａｎｄ）帯に周波数変換するＢＢ変換部と、
前記ＢＢ変換部からのデジタル信号を用いて、前記アンテナで受信したそれぞれの前記無線信号を復調する復調部と、を備える、
分散型無線通信基地局システム。
【請求項６】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＲＲＨは、
前記アンテナで受信した無線信号を予め定められたＩＦ帯に周波数変換する特定周波数変換部と、
前記特定周波数変換部からの出力信号をデジタル値に変換するデジタル変換部と、
前記デジタル変換部からの信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＢＢＵに送信する光変換部と、を備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯をＢＢ帯に周波数変換するＢＢ変換部と、
前記ＢＢ変換部からのデジタル信号を用いて、前記アンテナで受信したそれぞれの前記無線信号を復調する復調部と、を備える、
分散型無線通信基地局システム。
【請求項７】
前記ＲＲＨは、
前記デジタル変換部と前記ＩＦ変換部の間に、前記ＢＢＵへ送信する信号電力を、前記ＩＦ変換部の周波数変換する各ＩＦ帯の周波数の高低に応じて調整する電力調整部をさらに備えることを特徴とする請求項５又は６に記載の分散型無線通信基地局システム。
【請求項８】
前記ＢＢＵは、
前記信号抽出部の分離した各ＩＦ帯の信号の電力値又はＥＶＭ値に基づいて、前記電力調整部において各ＩＦ帯の信号電力を調整するための制御信号を生成する制御信号作成部と、
前記制御信号作成部の生成した制御信号を、制御信号送信用のＩＦ帯に変換する制御用ＩＦ変換部と、
前記制御用ＩＦ変換部の出力信号をデジタル値からアナログ値に変換するアナログ変換部と、
前記アナログ変換部からの電気信号を光信号に変換して前記ＲＲＨに送信する光変換部と、
をさらに備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号から前記制御信号送信用のＩＦ帯を分離する制御用信号抽出部と、
前記制御信号抽出部の分離した前記制御信号送信用のＩＦ帯をＢＢ帯に周波数変換する制御用ＢＢ変換部と、
を備え、
前記ＲＲＨにおける前記電力調整部は、前記制御用ＢＢ変換部をからの制御信号に従って、各ＩＦ帯の信号電力を調整する、
請求項７に記載の分散型無線通信基地局システム。
【請求項９】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＢＢＵの通信方法であって、
ＩＦ変換部が、前記ＲＲＨへ送信するデジタル値の電気信号を、前記無線信号ごとに異なるＩＦ（Ｉｎｔｅｒｍｅｄｉａｔｅ  Ｆｒｅｑｕｅｎｃｙ）帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＲＲＨに送信する、
前記分散型無線通信基地局システムにおける前記ＢＢＵの通信方法。
【請求項１０】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記ＢＢＵからの光信号を電気信号に変換したアナログ信号をデジタル値に変換するデジタル変換手順と、
信号抽出部が、前記デジタル変換部の出力信号をＩＦ帯ごとに分離する信号抽出手順と、
ＲＦ変換部が、前記信号抽出部の分離した各ＩＦ帯を、前記複数のアンテナに応じたＲＦ帯に周波数変換するＲＦ変換手順と、
アナログ変換部が、前記ＲＦ変換部からの信号をアナログ値に変換して前記アンテナに出力するアナログ変換手順と、
を有する前記分散型無線通信基地局システムにおける前記ＲＲＨの通信方法。
【請求項１１】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記ＢＢＵからの光信号を電気信号に変換したアナログ信号をデジタル値に変換するデジタル変換手順と、
信号抽出部が、前記デジタル変換部の出力信号をＩＦ帯ごとに分離する信号抽出手順と、
特定周波数変換部が、前記信号抽出部の分離した各ＩＦ帯を予め定められたＩＦ帯に周波数変換するダウンコンバート手順と、
アナログ変換部が、前記特定周波数変換部の出力信号をアナログ値に変換するアナログ変換手順と、
ＲＦ変換部が、前記アナログ変換部からの出力信号を、前記複数のアンテナに応じたＲＦ帯に周波数変するＲＦ変換手順と、
を有する前記分散型無線通信基地局システムにおける前記ＲＲＨの通信方法。
【請求項１２】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＢＢＵの通信方法であって、
デジタル変換部が、前記ＲＲＨからの光信号を電気信号に変換した信号をデジタル値に変換するデジタル変換手順と、
信号抽出部が、前記デジタル変換部の出力信号をＩＦ帯ごとに分離する信号抽出手順と、
ＢＢ変換部が、前記信号抽出部の分離した各ＩＦ帯をＢＢ（ｂａｓｅｂａｎｄ）帯に周波数変換するＢＢ変換手順と、
を順に有し、
復調部が、前記ＢＢ変換部からのデジタル信号を用いて、前記アンテナで受信したそれぞれの前記無線信号を復調する、
前記分散型無線通信基地局システムにおける前記ＢＢＵの通信方法。
【請求項１３】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記アンテナで受信したそれぞれの前記無線信号をデジタル値に変換するデジタル変換手順と、
ＩＦ変換部が、前記デジタル変換部からの信号を、前記無線信号ごとに異なるＩＦ帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＢＢＵに送信する、
前記分散型無線通信基地局システムにおける前記ＲＲＨの通信方法。
【請求項１４】
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
特定周波数変換部が、前記アンテナで受信した無線信号を、予め定められたＩＦ帯に周波数変換するダウンコンバート手順と、
デジタル変換部が、前記特定周波数変換部からの出力信号をデジタル値に変換するデジタル変換手順と、
ＩＦ変換部が、前記デジタル変換部からの信号を、前記無線信号ごとに異なるＩＦ帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＢＢＵに送信する、
前記分散型無線通信基地局システムにおける前記ＲＲＨの通信方法。
【請求項１５】
コンピュータに、請求項９又は１２に記載の通信方法における各手順を実行させるためのＢＢＵの通信プログラム。
【請求項１６】
コンピュータに、請求項１０、１１、１３又は１４に記載の通信方法における各手順を実行させるためのＲＲＨの通信プログラム。
【発明の詳細な説明】
【技術分野】
【０００１】
本発明は、無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、ＢＢＵとＲＲＨとを光ファイバで接続して無線信号をアナログＲｏＦ（Ｒａｄｉｏ  ｏｖｅｒ  Ｆｉｂｅｒ）伝送方式でＢＢＵとＲＲＨとの間を伝送する分散型無線通信基地局システム、ＢＢＵ又はＲＲＨの通信方法、並びにＢＢＵ又はＲＲＨの通信プログラムに関する。
【背景技術】
【０００２】
セルラーシステムにおいて、セル構成の自由度を向上するため、基地局の機能を信号処理部（ＢＢＵ：Ｂａｓｅ  Ｂａｎｄ  Ｕｎｉｔ）とＲＦ部（ＲＲＨ：  Ｒｅｍｏｔｅ  Ｒａｄｉｏ  Ｕｎｉｔ）に分割して物理的に離れた構成とする事が検討されている。ＢＢＵ−ＲＲＨ間は同軸ケーブルや光ファイバ等で接続されるが、特に光ファイバによって接続する事により伝送距離を拡大する事ができる。この時ＢＢＵ−ＲＲＨ間において、無線信号はＲｏＦ技術により伝送される。ＲｏＦ技術は光伝送方法によりアナログＲｏＦ技術とデジタルＲｏＦ技術に大別できる。デジタルＲｏＦ技術では、ほとんど歪み無く無線信号伝送が可能だが、非常に広い帯域を光ファイバ区間で必要とする。一方アナログＲｏＦ技術では、デジタルＲｏＦ伝送時と比べ無線信号に歪みが生じるが、光ファイバ区間での所要帯域は無線信号の使用周波数帯域幅とほぼ等しい。このため、アナログＲｏＦ技術の方がＢＢＵ−ＲＲＨ間の所要帯域を節約できる。
【０００３】
各ＲＲＨはＭＩＭＯ  （ｍｕｌｔｉｐｌｅ−ｉｎｐｕｔ  ａｎｄ  ｍｕｌｔｉｐｌｅ−ｏｕｔｐｕｔ）伝送のため、複数のアンテナを搭載する可能性がある。ＭＩＭＯにおける空間多重伝送では、送信側で異なる情報を持つ無線信号を各アンテナから送信し、受信側で各アンテナの受信信号に信号処理を施して複数の情報を分離受信することにより、伝送速度が向上する。例えば、ＬＴＥ（Ｌｏｎｇ  Ｔｅｒｍ  Ｅｖｏｌｕｔｉｏｎ）では下りリンクにおいて最大４多重、ＬＴＥ−Ａｄｖａｎｃｅｄでは下りリンクにおいて最大８多重の空間多重がサポートされる。これら各無線信号を特許文献１のように別々の波長に分けて伝送することもできるが、これら各無線信号を異なるＩＦ帯に周波数変換すれば１つの波長・１本のファイバで複数無線信号の同時伝送が可能であり、こちらの方が経済的と考えられる。
【０００４】
関連技術のＢＢＵの装置構成例を図１に示す。ＢＢＵ１０は下りリンク通信のため、アンテナ＃ｉごとに無線変調信号のデジタルビット系列を出力する変復調部１１と、変復調部１１で出力された各デジタル信号をアナログ信号へ変換するＤ／Ａ変換部１２と、各アナログ信号をベースバンド帯からＩＦ帯へアップコンバートする周波数変換部（ＢＢ→ＩＦ＃ｉ）１３と、それらを加算する加算器１９と、アナログ電気信号を光信号に変換してＲＲＨ側へ送信するＥ／Ｏ変換部１４を有する。またＢＢＵ１０は上りリンク通信のため、光信号を電気信号に変換するＯ／Ｅ変換部１５と、アナログの電気信号から各ＩＦ帯の信号を抽出する信号抽出部（ＩＦ＃ｉ）１６と、各ＩＦ帯の信号をベースバンド帯へダウンコンバートする周波数変換部（ＩＦ＃ｉ→ＢＢ）１７と、ダウンコンバートされた各アナログ信号をデジタル信号へ変換するＡ／Ｄ変換部１８と、を有する。下り信号と上り信号を別波長で多重することも可能である。この場合は、上り信号と下り信号を分離するフィルタが必要となる。信号抽出部はＢＰＦ（Ｂａｎｄ  Ｐａｓｓ  Ｆｉｌｔｅｒ）により構成される。
【０００５】
関連技術のＲＲＨの装置構成例を図２に示す。ＲＲＨ２０は下りリンク通信のため、ＢＢＵから受信した光信号を電気信号に変換するＯ／Ｅ変換部２１と、アナログの電気信号から各ＩＦ帯の信号を抽出する信号抽出部（ＩＦ＃ｉ）２２と、各ＩＦ帯の信号をＲＦ帯へアップコンバートする周波数変換部（ＩＦ＃ｉ→ＲＦ）２３と、電力を設定された送信電力まで増幅する増幅器２４と、送受切替部２５とアンテナ２６を有する。またＲＲＨ２０は上りリンク通信のため、無線信号の送／受信を行うアンテナ２６と、送信／受信を切り替える送受切替部２５と、受信した無線信号の信号電力を信号処理ができるレベルまで増幅する増幅器２７と、各アンテナ２６のＲＦ信号を異なるＩＦ帯へダウンコンバートする周波数変換部（ＲＦ→ＩＦ＃ｉ）２８と、異なるＩＦ帯へダウンコンバートされた各信号を加算する加算器３０と、加算器の出力するアナログ信号を光信号に変換して送信するＥ／Ｏ変換部２９を有する。送受切替部は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【先行技術文献】
【特許文献】
【０００６】
【特許文献１】特開２０１１−１９９３６９号公報
【発明の概要】
【発明が解決しようとする課題】
【０００７】
図３に関連技術の下りリンク通信時の動作例を示す。関連技術のアナログＲｏＦ伝送では、Ｏ／Ｅ変換部やＤ／Ａ変換部等が周波数特性を持ち、高い周波数ほど出力電力が低いことが多い。この時、高いＩＦ周波数で伝送された無線信号の信号品質が、低いＩＦ周波数で伝送された信号よりも劣化する。このため、アナログＲｏＦ伝送された無線信号の一部が要求信号品質を満たさない可能性がある。
【０００８】
各無線信号の周波数配置の間隔を狭めることで、各ＩＦ周波数を低下できる。しかし、ＩＦ帯上で無線信号間の間隔が狭まると、受信側の信号抽出部でより狭い遷移域幅のフィルタリング処理が求められる。遷移帯域幅の低減はアナログデバイスのコスト増大に繋がるとともに、低減できる遷移帯域幅もアナログデバイスの性能に制限される。
【０００９】
また関連技術のように周波数変換をアナログデバイスで実現する場合、使用するＩＦ帯の周波数及び数の変更が困難である。このため、信号抽出部の遷移帯域幅の実力値に合わせて柔軟にＩＦ周波数を変更する事や、一時的にＩＦ周波数の数を増やして監視信号や制御信号を送る等の対応が困難である。
【００１０】
前記課題を解決するために、本発明は、要求信号品質を満たす無線信号数を増加させ、かつ使用するＩＦ帯の周波数及び数の変更を可能にすることを目的とする。
【課題を解決するための手段】
【００１１】
本発明は、ＢＢＵにおけるＩＦ帯とＢＢ帯との周波数変換、ＲＲＨにおける、ＩＦ帯とＲＦ帯との周波数変換、並びにＢＢＵ及びＲＲＨにおけるＩＦ帯の信号抽出をデジタル上で行う。
【００１２】
具体的には、本発明に係る分散型無線通信基地局システムは、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＢＢＵは、
前記ＲＲＨへ送信するデジタル値の電気信号を、前記無線信号ごとに異なるＩＦ（Ｉｎｔｅｒｍｅｄｉａｔｅ  Ｆｒｅｑｕｅｎｃｙ）帯に周波数変換するＩＦ変換部と、
前記ＩＦ変換部からの各信号をアナログ値に変換するアナログ変換部と、
前記アナログ変換部からの電気信号を光信号に変換して前記ＲＲＨに送信する光変換部と、を備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯を、前記複数のアンテナに応じたＲＦ（Ｒａｄｉｏ  Ｆｒｅｑｕｅｎｃｙ）帯に周波数変換するＲＦ変換部と、
前記ＲＦ変換部からの信号をアナログ値に変換して前記アンテナに出力するアナログ変換部と、を備える。
【００１３】
具体的には、本発明に係る分散型無線通信基地局システムは、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＢＢＵは、
前記ＲＲＨへ送信するデジタル値の電気信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＲＲＨに送信する光変換部と、を備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯を予め定められたＩＦ帯に周波数変換する特定周波数変換部と、
前記特定周波数変換部の出力信号をアナログ値に変換するアナログ変換部と、
前記アナログ変換部からの出力信号を、前記複数のアンテナに応じたＲＦ帯に周波数変するＲＦ変換部と、を備える。
【００１４】
本発明に係る分散型無線通信基地局システムでは、前記ＢＢＵは、前記ＩＦ変換部の前段に、前記ＲＲＨへ送信する信号電力を、前記ＩＦ変換部の周波数変換する各ＩＦ帯の周波数の高低に応じて調整する電力調整部をさらに備えていてもよい。
【００１５】
本発明に係る分散型無線通信基地局システムでは、
前記ＲＲＨは、
前記信号抽出部の分離した各ＩＦ帯の信号の電力値又はＥＶＭ（Ｅｒｒｏｒ  Ｖｅｃｔｏｒ  Ｍａｇｎｉｔｕｄｅ）値に基づいて、前記電力調整部において各ＩＦ帯の信号電力を調整するための制御信号を生成する制御信号作成部と、
前記制御信号作成部の生成した制御信号を、制御信号送信用のＩＦ帯に変換する制御用ＩＦ変換部と、
前記制御用ＩＦ変換部の出力信号をデジタル値からアナログ値に変換するアナログ変換部と、
前記アナログ変換部からの電気信号を光信号に変換して前記ＢＢＵに送信する光変換部と、
をさらに備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号から前記制御信号送信用のＩＦ帯を分離する制御用信号抽出部と、
前記制御信号抽出部の分離した前記制御信号送信用のＩＦ帯をＢＢ（ｂａｓｅｂａｎｄ）帯に周波数変換する制御用ＢＢ変換部と、
を備え、
前記ＢＢＵにおける前記電力調整部は、前記制御用ＢＢ変換部をからの制御信号に従って、各ＩＦ帯の信号電力を調整する。
【００１６】
具体的には、本発明に係る分散型無線通信基地局システムは、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＲＲＨは、
前記アンテナで受信したそれぞれの前記無線信号をデジタル値に変換するデジタル変換部と、
前記デジタル変換部からの信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＢＢＵに送信する光変換部と、を備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯をＢＢ（ｂａｓｅｂａｎｄ）帯に周波数変換するＢＢ変換部と、
前記ＢＢ変換部からのデジタル信号を用いて、前記アンテナで受信したそれぞれの前記無線信号を復調する復調部と、を備える。
【００１７】
具体的には、本発明に係る分散型無線通信基地局システムは、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムであって、
前記ＲＲＨは、
前記アンテナで受信した無線信号を予め定められたＩＦ帯に周波数変換する特定周波数変換部と、
前記特定周波数変換部からの出力信号をデジタル値に変換するデジタル変換部と、
前記デジタル変換部からの信号を、前記無線信号ごとに異なるＩＦ帯に周波数変換するＩＦ変換部と、
前記ＩＦ変換部からの各信号をアナログ値に変換するアナログ変換部と、
前記アナログ変換部からの電気信号を光信号に変換して前記ＢＢＵに送信する光変換部と、を備え、
前記ＢＢＵは、
前記ＲＲＨからの光信号を電気信号に変換する電気変換部と、
前記電気変換部からの信号をデジタル値に変換するデジタル変換部と、
前記デジタル変換部の出力信号をＩＦ帯ごとに分離する信号抽出部と、
前記信号抽出部の分離した各ＩＦ帯をＢＢ帯に周波数変換するＢＢ変換部と、
前記ＢＢ変換部からのデジタル信号を用いて、前記アンテナで受信したそれぞれの前記無線信号を復調する復調部と、を備える。
【００１８】
本発明に係る分散型無線通信基地局システムでは、前記ＲＲＨは、前記デジタル変換部と前記ＩＦ変換部の間に、前記ＢＢＵへ送信する信号電力を、前記ＩＦ変換部の周波数変換する各ＩＦ帯の周波数の高低に応じて調整する電力調整部をさらに備えていてもよい。
【００１９】
本発明に係る分散型無線通信基地局システムでは、
前記ＢＢＵは、
前記信号抽出部の分離した各ＩＦ帯の信号の電力値又はＥＶＭ値に基づいて、前記電力調整部において各ＩＦ帯の信号電力を調整するための制御信号を生成する制御信号作成部と、
前記制御信号作成部の生成した制御信号を、制御信号送信用のＩＦ帯に変換する制御用ＩＦ変換部と、
前記制御用ＩＦ変換部の出力信号をデジタル値からアナログ値に変換するアナログ変換部と、
前記アナログ変換部からの電気信号を光信号に変換して前記ＲＲＨに送信する光変換部と、
をさらに備え、
前記ＲＲＨは、
前記ＢＢＵからの光信号を電気信号に変換する電気変換部と、
前記電気変換部からの信号をデジタル値に変換するデジタル変換部と、
前記デジタル変換部の出力信号から前記制御信号送信用のＩＦ帯を分離する制御用信号抽出部と、
前記制御信号抽出部の分離した前記制御信号送信用のＩＦ帯をＢＢ帯に周波数変換する制御用ＢＢ変換部と、
を備え、
前記ＲＲＨにおける前記電力調整部は、前記制御用ＢＢ変換部をからの制御信号に従って、各ＩＦ帯の信号電力を調整する。
【００２０】
具体的には、本発明に係る分散型無線通信基地局システムにおけるＢＢＵの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＢＢＵの通信方法であって、
ＩＦ変換部が、前記ＲＲＨへ送信するデジタル値の電気信号を、前記無線信号ごとに異なるＩＦ（Ｉｎｔｅｒｍｅｄｉａｔｅ  Ｆｒｅｑｕｅｎｃｙ）帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＲＲＨに送信する。
【００２１】
具体的には、本発明に係る分散型無線通信基地局システムにおけるＲＲＨの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記ＢＢＵからの光信号を電気信号に変換したアナログ信号をデジタル値に変換するデジタル変換手順と、
信号抽出部が、前記デジタル変換部の出力信号をＩＦ帯ごとに分離する信号抽出手順と、
ＲＦ変換部が、前記信号抽出部の分離した各ＩＦ帯を、前記複数のアンテナに応じたＲＦ帯に周波数変換するＲＦ変換手順と、
アナログ変換部が、前記ＲＦ変換部からの信号をアナログ値に変換して前記アンテナに出力するアナログ変換手順と、
を有する。
【００２２】
具体的には、本発明に係る分散型無線通信基地局システムにおけるＲＲＨの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記ＢＢＵからの光信号を電気信号に変換したアナログ信号をデジタル値に変換するデジタル変換手順と、
信号抽出部が、前記デジタル変換部の出力信号をＩＦ帯ごとに分離する信号抽出手順と、
特定周波数変換部が、前記信号抽出部の分離した各ＩＦ帯を予め定められたＩＦ帯に周波数変換するダウンコンバート手順と、
アナログ変換部が、前記特定周波数変換部の出力信号をアナログ値に変換するアナログ変換手順と、
ＲＦ変換部が、前記アナログ変換部からの出力信号を、前記複数のアンテナに応じたＲＦ帯に周波数変するＲＦ変換手順と、
を有する。
【００２３】
具体的には、本発明に係る分散型無線通信基地局システムにおけるＢＢＵの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＢＢＵの通信方法であって、
デジタル変換部が、前記ＲＲＨからの光信号を電気信号に変換した信号をデジタル値に変換するデジタル変換手順と、
信号抽出部が、前記デジタル変換部の出力信号をＩＦ帯ごとに分離する信号抽出手順と、
ＢＢ変換部が、前記信号抽出部の分離した各ＩＦ帯をＢＢ（ｂａｓｅｂａｎｄ）帯に周波数変換するＢＢ変換手順と、
を順に有し、
復調部が、前記ＢＢ変換部からのデジタル信号を用いて、前記アンテナで受信したそれぞれの前記無線信号を復調する。
【００２４】
具体的には、本発明に係る分散型無線通信基地局システムにおけるＲＲＨの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
デジタル変換部が、前記アンテナで受信したそれぞれの前記無線信号をデジタル値に変換するデジタル変換手順と、
ＩＦ変換部が、前記デジタル変換部からの信号を、前記無線信号ごとに異なるＩＦ帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＢＢＵに送信する。
【００２５】
具体的には、本発明に係る分散型無線通信基地局システムにおけるＲＲＨの通信方法は、
無線端末と無線信号を送受信する基地局の機能が信号処理装置（ＢＢＵ：Ｂａｓｅ  Ｂａｎｄ  Ｕｎｉｔ）と複数のアンテナを搭載する無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記無線信号をアナログＲｏＦ（Ｒａｄｉｏ  ｏｖｅｒ  Ｆｉｂｅｒ）伝送方式で前記ＢＢＵと前記ＲＲＨとの間を伝送する分散型無線通信基地局システムにおける前記ＲＲＨの通信方法であって、
特定周波数変換部が、前記アンテナで受信した無線信号を、予め定められたＩＦ帯に周波数変換するダウンコンバート手順と、
デジタル変換部が、前記特定周波数変換部からの出力信号をデジタル値に変換するデジタル変換手順と、
ＩＦ変換部が、前記デジタル変換部からの信号を、前記無線信号ごとに異なるＩＦ帯に周波数変換するＩＦ変換手順と、
アナログ変換部が、前記ＩＦ変換部からの各信号をアナログ値に変換するアナログ変換手順と、
を順に有し、
前記アナログ変換部からの電気信号を光信号に変換して前記ＢＢＵに送信する。
【００２６】
具体的には、本発明に係る分散型無線通信基地局システムにおけるＢＢＵの通信プログラムは、コンピュータに、本発明に係るＢＢＵの通信方法における各手順を実行させるためのプログラムである。
【００２７】
具体的には、本発明に係る分散型無線通信基地局システムにおけるＲＲＨの通信プログラムは、コンピュータに、本発明に係るＲＲＨの通信方法における各手順を実行させるためのプログラムである。
【００２８】
なお、上記各発明は、可能な限り組み合わせることができる。
【発明の効果】
【００２９】
本発明によれば、要求信号品質を満たす無線信号数を増加することができる。またその際、使用するＩＦ帯の周波数及び数の変更を可能にすることもできる。
【図面の簡単な説明】
【００３０】
【図１】関連技術のＢＢＵの装置構成例を示す。
【図２】関連技術のＲＲＨの装置構成例を示す。
【図３】関連技術の下りリンクにおける信号の一例であり、（ａ）はＢＢＵからの送信時における各ＩＦ帯の信号電力を示し、（ｂ）はＲＲＨでの受信時における各ＩＦ帯の信号電力を示し、（ｃ）はＲＲＨでのＡ／Ｄ変換後のＥＶＭを示す。下りリンク通信時の動作例を示す。
【図４】実施形態１−１に係るＢＢＵの装置構成例を示す。
【図５】実施形態１−１に係るＲＲＨの装置構成例を示す。
【図６】実施形態１−１に係る下りリンクの分散型無線通信基地局通信方法の一例を示す。
【図７】実施形態１−１に係る上りリンクの分散型無線通信基地局通信方法の一例を示す。
【図８】実施形態１−２に係るＲＲＨの装置構成例を示す。
【図９】実施形態１−２に係る下りリンクの分散型無線通信基地局通信方法の一例を示す。
【図１０】実施形態１−２に係る上りリンクの分散型無線通信基地局通信方法の一例を示す。
【図１１】実施形態２−１に係るＢＢＵ１０の装置構成例を示す。
【図１２】実施形態２−１に係る下りリンクの分散型無線通信基地局通信方法の一例を示す。
【図１３】無線信号別電力調整部３１の装置構成例を示す。
【図１４】実施形態２−１の下りリンクにおける信号の一例であり、（ａ）はＢＢＵ１０のＤ／Ａ変換部１２へ入力される各ＩＦ帯の信号電力を示し、（ｂ）はＲＲＨ２０のＡ／Ｄ変換部４１から出力される各ＩＦ帯の信号電力を示し、（ｃ）はＲＲＨ２０のＡ／Ｄ変換部４１から出力される各ＩＦ帯の信号のＥＶＭを示す。
【図１５】実施形態２−２に係るＲＲＨ２０の装置構成例を示す。
【図１６】実施形態２−２に係る上りリンクの分散型無線通信基地局通信方法の一例を示す。
【図１７】実施形態２−３に係るＢＢＵ１０の装置構成例を示す。
【図１８】実施形態２−３に係るＲＲＨ２０の装置構成例を示す。
【図１９】実施形態２−３に係る下りリンクの分散型無線通信基地局通信方法の一例を示す。
【図２０】実施形態２−３に係る上りリンクの分散型無線通信基地局通信方法の一例を示す。
【発明を実施するための形態】
【００３１】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００３２】
本実施形態に係る分散型無線通信基地局システムは、無線端末と無線信号を送受信する基地局の機能が信号処理装置（ＢＢＵ：Ｂａｓｅ  Ｂａｎｄ  Ｕｎｉｔ）と複数アンテナを搭載する無線装置（ＲＲＨ：Ｒｅｍｏｔｅ  Ｒａｄｉｏ  Ｈｅａｄ）に分割され、ＢＢＵとＲＲＨとを光ファイバで接続して無線信号をアナログＲｏＦ（Ｒａｄｉｏ  ｏｖｅｒ  Ｆｉｂｅｒ）伝送方式でＢＢＵとＲＲＨとの間を伝送する。本発明では、本システムにおいて、ＤＳＰ（Ｄｉｇｉｔａｌ  Ｓｉｇｎａｌ  Ｐｒｏｃｅｓｓｉｎｇ）を活用した以下２点により関連技術の課題を解決する。
【００３３】
（ｉ）ＢＢＵ又はＲＲＨにおいて、周波数変換及び信号抽出をデジタル上で行う（実施形態１−１及び実施形態１−２参照）。ＩＦ帯への周波数変換をデジタル上で実現することで、ＩＦ周波数の変更が容易となる。また、信号抽出をデジタル上で行うことにより、アナログデバイスの制限を受けることなく狭い遷移帯域幅を実現することができる。これにより、無線信号の間隔を狭めることが可能となり、低いＩＦ周波数を用いることが可能となり、各無線信号の信号電力減少が抑制されて要求信号品質を満たす無線信号数が増加する。
【００３４】
（ｉｉ）送信側で、無線信号ごとに電力調整を行う（実施形態２−１〜２−３参照）。信号品質が低いと推定されるＩＦ帯の無線信号電力を高くし、信号品質が高いと推定されるＩＦ帯の無線信号電力を、要求信号品質を満足する範囲で低下させる。これにより、要求信号品質を満たす無線信号数が増加する。電力調整は、各無線信号に対して実数値をかけることで実現できるため、無線信号数分の１タップ乗算器があれば良い。
【００３５】
（実施形態１−１）
本実施形態では、下り／上りリンク通信において、周波数変換及び信号抽出をデジタル上で行う。本実施形態に係るＢＢＵの装置構成例を図４に示し、本実施形態に係るＲＲＨの装置構成例を図５に示す。
【００３６】
本実施形態のＢＢＵ１０は、下りリンク通信のため、アンテナ＃ｉごとに無線変調信号のデジタルビット系列を出力する変復調部１１と、変復調部で出力された各信号をベースバンド帯からＩＦ帯へアップコンバートする周波数変換部（ＢＢ→ＩＦ＃ｉ）１３と、それらを加算する加算器１９と、加算された信号をアナログ信号へ変換するＤ／Ａ変換部１２と、アナログ電気信号を光信号に変換してＲＲＨ側へ送信するＥ／Ｏ変換部１４を有する。本実施形態では、アンテナ２６ごとに個別の周波数変換部１３を備える例を示したが、本発明はこれに限定されない。例えば、周波数変換部１３は、入力された複数の無線信号に対して別々に周波数変換を行い、別々に出力するかまたは加算して出力する構成でも良い。これにより、周波数変換部１３の個数を減らせる。
【００３７】
また本実施形態のＢＢＵ１０は、上りリンク通信のため、光信号を電気信号に変換するＯ／Ｅ変換部１５と、電気信号に変換されたアナログ信号をデジタル化するＡ／Ｄ変換部１８と、デジタルビット系列から各ＩＦ帯の信号を抽出する信号抽出部（ＩＦ＃ｉ）１６と、各ＩＦ帯の信号をベースバンド帯へダウンコンバートする周波数変換部（ＩＦ＃ｉ→ＢＢ）１７を有する。本実施形態では、アンテナ２６ごとに個別の信号抽出部１６及び周波数変換部１７を備える例を示したが、本発明はこれに限定されない。例えば、信号抽出部１６及び周波数変換部１７は、入力された複数の無線信号に対して別々に信号抽出及び周波数変換を行い、別々に出力する構成でも良い。これにより、信号抽出部１６及び周波数変換部１７の個数を減らせる。
【００３８】
本実施形態のＲＲＨ２０は、下りリンク通信のため、ＢＢＵ１０から受信した光信号を電気信号に変換するＯ／Ｅ変換部２１と、アナログ信号をデジタル信号に変換するＡ／Ｄ変換部４１と、デジタル信号から各ＩＦ帯の信号を抽出する信号抽出部（ＩＦ＃ｉ）２２と、各ＩＦ帯の信号をＲＦ帯へアップコンバートする周波数変換部（ＩＦ＃ｉ→ＲＦ）２３と、アップコンバートされた各信号をアナログ信号へ変換するＤ／Ａ変換部４２と、電力を設定された送信電力まで増幅する増幅器２４と、送受切替部２５とアンテナ２６を有する。本実施形態では、アンテナ２６ごとに個別の信号抽出部２２、周波数変換部２３、Ｄ／Ａ変換部４２、増幅器２４及び送受切替部２５を備える例を示したが、本発明はこれに限定されない。例えば、信号抽出部２２、周波数変換部２３、Ｄ／Ａ変換部４２、増幅器２４及び送受切替部２５は、入力された複数の無線信号に対して別々に信号抽出・周波数変換・Ｄ／Ａ変換・増幅・送受切替を行い、別々に出力する構成でも良い。これにより、信号抽出部２２、周波数変換部２３、Ｄ／Ａ変換部４２、増幅器２４及び送受切替部２５の個数を減らせる。
【００３９】
また本実施形態のＲＲＨ２０は、上りリンク通信のため、無線信号の送／受信を行うアンテナ２６と、送信／受信を切り替える送受切替部２５と、受信した無線信号の信号電力を信号処理ができるレベルまで増幅する増幅器２７と、増幅されたアナログ信号をデジタル信号に変換するＡ／Ｄ変換部４３と、各アンテナのＲＦ信号を異なるＩＦ帯へダウンコンバートする周波数変換部（ＲＦ→ＩＦ＃ｉ）２８と、異なるＩＦ帯へダウンコンバートされた各信号を加算する加算器３０と、加算器３０が出力するデジタル信号をアナログ信号に変換するＤ／Ａ変換部４４と、Ｄ／Ａ変換部４４の出力するアナログ信号を光信号に変換して送信するＥ／Ｏ変換部２９を有する。本実施形態では、アンテナ２６ごとに個別の送受切替部２５、増幅器２７、Ａ／Ｄ変換部４３及び周波数変換部２８を備える例を示したが、本発明はこれに限定されない。例えば、送受切替部２５、増幅器２７、Ａ／Ｄ変換部４３及び周波数変換部２８は、入力された複数の無線信号に対して別々に送受切替・増幅・Ａ／Ｄ変換・周波数変換を行い、別々に出力する構成でも良い。これにより、送受切替部２５、増幅器２７、Ａ／Ｄ変換部４３及び周波数変換部２８の個数を減らせる。
【００４０】
図６に、本実施形態に係る下りリンクの分散型無線通信基地局通信方法の一例を示す。本実施形態に係る下りリンクの分散型無線通信基地局通信方法は、ＩＦ変換手順（Ｓ１０１）と、アナログ変換手順（Ｓ１０３）と、光変換手順（Ｓ１０４）と、電気変換手順（Ｓ１０５）と、デジタル変換手順（Ｓ１０６）と、信号抽出手順（Ｓ１０７）と、ＲＦ変換手順（Ｓ１０８）と、アナログ変換手順（Ｓ１０９）と、を順に有する。
【００４１】
下りリンクの通信時に、ＢＢＵ１０は、ＩＦ変換手順（Ｓ１０１）〜光変換手順（Ｓ１０４）を実行する。
ＩＦ変換手順（Ｓ１０１）では、周波数変換部（ＢＢ→ＩＦ＃ｉ）１３が、変復調部１１で変調された各信号をベースバンド帯からＩＦ帯へアップコンバートする。加算器１９が、各周波数変換部１３から出力された各信号を加算する（Ｓ１０２）。
アナログ変換手順（Ｓ１０３）では、Ｄ／Ａ変換部１２が、加算器１９で加算された信号をアナログ信号へ変換する。
光変換手順（Ｓ１０４）では、Ｅ／Ｏ変換部１４が、Ｄ／Ａ変換部１２からのアナログ電気信号を光信号に変換してＲＲＨ２０側へ送信する。
【００４２】
下りリンクの通信時に、ＲＲＨ２０は、電気変換手順（Ｓ１０５）〜アナログ変換手順（Ｓ１０９）を実行する。
電気変換手順（Ｓ１０５）では、Ｏ／Ｅ変換部２１が、ＢＢＵ１０から受信した光信号を電気信号に変換する。
デジタル変換手順（Ｓ１０６）では、Ａ／Ｄ変換部４１が、アナログ信号をデジタル信号に変換する。
信号抽出手順（Ｓ１０７）では、信号抽出部２２が、デジタル信号から各ＩＦ帯の信号を抽出する。
ＲＦ変換手順（Ｓ１０８）では、周波数変換部２３が、各ＩＦ帯の信号をＲＦ帯へアップコンバートする。
アナログ変換手順（Ｓ１０９）では、Ｄ／Ａ変換部４２が、周波数変換部２３でアップコンバートされた各信号をアナログ信号へ変換する。これにより、アンテナ２６からＲＦ信号が送信される。
【００４３】
図７に、本実施形態に係る上りリンクの分散型無線通信基地局通信方法の一例を示す。本実施形態に係る上りリンクの分散型無線通信基地局通信方法は、デジタル変換手順（Ｓ２０１）と、ＩＦ変換手順（Ｓ２０２）と、アナログ変換手順（Ｓ２０４）と、光変換手順（Ｓ２０５）と、電気変換手順（Ｓ２０６）と、デジタル変換手順（Ｓ２０７）と、信号抽出手順（Ｓ２０８）と、ＢＢ変換手順（Ｓ２０９）と、を順に有する。
【００４４】
上りリンクの通信時に、ＲＲＨ２０は、デジタル変換手順（Ｓ２０１）〜光変換手順（Ｓ２０５）を実行する。
デジタル変換手順（Ｓ２０１）では、Ａ／Ｄ変換部４３が、増幅器２７で増幅されたアナログ信号をデジタル信号に変換する。
ＩＦ変換手順（Ｓ２０２）では、周波数変換部２８が、各アンテナ２６のＲＦ信号を異なるＩＦ帯へダウンコンバートする。加算器３０は、各周波数変換部２８でダウンコンバートされた各信号を加算する。
アナログ変換手順（Ｓ２０４）では、Ｄ／Ａ変換部４４は、加算器３０が出力するデジタル信号をアナログ信号に変換する。
光変換手順（Ｓ２０５）では、Ｅ／Ｏ変換部２９が、Ｄ／Ａ変換部４４の出力するアナログ信号を光信号に変換してＢＢＵ１０へ送信する。
【００４５】
上りリンクの通信時に、ＢＢＵ１０は、電気変換手順（Ｓ２０６）〜ＢＢ変換手順（Ｓ２０９）を実行する。
電気変換手順（Ｓ２０６）では、Ｏ／Ｅ変換部１５が、ＲＲＨ２０からの光信号を電気信号に変換する。
デジタル変換手順（Ｓ２０７）では、Ａ／Ｄ変換部１８が、電気信号に変換されたアナログ信号をデジタル化する。
信号抽出手順（Ｓ２０８）では、信号抽出部１６が、デジタルビット系列から各ＩＦ帯の信号を抽出する。
ＢＢ変換手順（Ｓ２０９）では、周波数変換部１７が、信号抽出部１６からの各ＩＦ帯の信号をベースバンド帯へダウンコンバートする。この後、変復調部１１は、各アンテナ２６の受信した信号を復調する。
【００４６】
以上説明したように、本実施形態に係るＲＲＨ２０は、信号抽出部２２の前段に信号抽出部を備え、周波数変換部２３の後段にＤ／Ａ変換部４２を備え、周波数変換部２８の前段にＡ／Ｄ変換部４３を備え、周波数変換部２８の後段にＤ／Ａ変換部４４を備える。関連技術では、アップ／ダウンコンバージョン及び信号抽出をアナログ上で実現しているが、実施形態１−１ではデジタル上で実現している。このため、本実施形態に係るシステムは、関連技術と比べ、周波数変換部２３及び２８におけるＩＦ周波数の変更が容易である。また、信号抽出部２２におけるフィルタリング処理の遷移帯域幅も、アナログデバイスの制限を受けることなく低減できる。したがって、本実施形態に係るシステムは、信号電力減衰が比較的小さい低いＩＦ帯を用いることができ、要求信号品質を満たす無線信号数を増加することが可能になる。
【００４７】
なお、ＢＢＵ１０は、コンピュータを、変復調部１１、周波数変換部１３，１７、加算器１９、信号抽出部１６、Ｄ／Ａ変換部１２、Ａ／Ｄ変換部１８として機能させることで実現してもよい。この場合、ＢＢＵ１０内のＣＰＵ（Ｃｅｎｔｒａｌ  Ｐｒｏｃｅｓｓｉｎｇ  Ｕｎｉｔ）が、記憶部（不図示）に記憶されたコンピュータプログラムを実行することで、各構成を実現する。ＲＲＨ２０は、コンピュータを、信号抽出部２２、周波数変換部２３，２８、加算器３０、Ａ／Ｄ変換部４１，４３、Ｄ／Ａ変換部４２，４４として機能させることで実現してもよい。この場合、ＲＲＨ２０内のＣＰＵが、記憶部（不図示）に記憶されたコンピュータプログラムを実行することで、各構成を実現する。
【００４８】
（実施形態１−２）
実施形態１−１では、下り／上りリンク通信において、ＩＦからＲＦへの周波数変換及びＲＦからＩＦへの周波数変換をデジタル上で行った。実施形態１−２では、ＩＦからＲＦへの周波数変換及びＲＦからＩＦへの周波数変換をアナログ上で行う。これにより、Ａ／Ｄ変換部に求められるサンプリング周波数が低減される。
【００４９】
実施形態１−２適用時のＢＢＵ１０の装置構成例は実施形態１−１適用時と同じである。本実施形態に係るＲＲＨ２０の装置構成例を図８に示す。
【００５０】
本実施形態のＲＲＨ２０は、下りリンク通信において、実施形態１−１の周波数変換部２３に代えて、周波数変換部（ＩＦ＃ｉ→ＩＦ＃ａ）（ｉ＝１，２，３…Ｎ）５１と、周波数変換部（ＩＦ＃ａ→ＲＦ）５２を有する。
【００５１】
また本実施形態のＲＲＨ２０は、上りリンク通信において、周波数変換部２８に代えて、周波数変換部（ＲＦ→ＩＦ＃ａ）５３と、周波数変換部（ＩＦ＃ａ→ＩＦ＃ｉ）（ｉ＝１，２，３…Ｎ）５４とを有する。
【００５２】
図９に、本実施形態に係る下りリンクの分散型無線通信基地局通信方法の一例を示す。本実施形態に係る下りリンクの分散型無線通信基地局通信方法は、ＩＦ変換手順（Ｓ１０１）と、アナログ変換手順（Ｓ１０３）と、光変換手順（Ｓ１０４）と、電気変換手順（Ｓ１０５）と、デジタル変換手順（Ｓ１０６）と、信号抽出手順（Ｓ１０７）と、ダウンコンバート手順（Ｓ１１１）と、アナログ変換手順（Ｓ１０９）と、ＲＦ変換手順（Ｓ１０８）と、を順に有する。
【００５３】
下りリンクの通信時に、ＢＢＵ１０は、ＩＦ変換手順（Ｓ１０１）〜光変換手順（Ｓ１０４）を実行する。ＩＦ変換手順（Ｓ１０１）〜光変換手順（Ｓ１０４）については、実施形態１−１にて述べたとおりである。
【００５４】
下りリンクの通信時に、ＲＲＨ２０は、電気変換手順（Ｓ１０５）〜ＲＦ変換手順（Ｓ１０８）を実行する。本実施形態では、信号抽出手順（Ｓ１０７）の後にダウンコンバート手順（Ｓ１１１）をさらに有し、アナログ変換手順（Ｓ１０９）の後にＲＦ変換手順（Ｓ１０８）を行う。
【００５５】
ダウンコンバート手順（Ｓ１１１）では、周波数変換部５１が、信号抽出部２２で抽出された信号のＩＦ周波数（ＩＦ＃１〜Ｎ）を共通のＩＦ周波数（ＩＦ＃ａ）に周波数変換する。
【００５６】
アナログ変換手順（Ｓ１０９）では、Ｄ／Ａ変換部４２が、周波数変換部５１でダウンコンバートされた各信号をアナログ信号へ変換する。
ＲＦ変換手順（Ｓ１０８）では、周波数変換部５２は、ＩＦ周波数（ＩＦ＃ａ）に周波数変換された各アナログ信号をＲＦ帯へアップコンバートする。
これにより、アンテナ２６からＲＦ信号が送信される。
【００５７】
図１０に、本実施形態に係る上りリンクの分散型無線通信基地局通信方法の一例を示す。本実施形態に係る下りリンクの分散型無線通信基地局通信方法は、ダウンコンバート手順（Ｓ２１１）と、デジタル変換手順（Ｓ２０１）と、ＩＦ変換手順（Ｓ２０２）と、アナログ変換手順（Ｓ２０４）と、光変換手順（Ｓ２０５）と、電気変換手順（Ｓ２０６）と、デジタル変換手順（Ｓ２０７）と、信号抽出手順（Ｓ２０８）と、ＢＢ変換手順（Ｓ２０９）と、を順に有する。
【００５８】
上りリンクの通信時に、ＲＲＨ２０は、ダウンコンバート手順（Ｓ２１１）〜光変換手順（Ｓ２０５）を行う。本実施形態では、デジタル変換手順（Ｓ２０１）の前に、ダウンコンバート手順（Ｓ２１１）をさらに有する。
【００５９】
ダウンコンバート手順（Ｓ２１１）では、周波数変換部５３が、各アンテナ２６で受信されたＲＦ帯のアナログ信号を共通のＩＦ周波数（ＩＦ＃ａ）へ周波数変換する。
デジタル変換手順（Ｓ２０１）では、Ａ／Ｄ変換部４３が、周波数変換部５３でダウンコンバートされたアナログ信号をデジタル信号に変換する。
ＩＦ変換手順（Ｓ２０２）では、周波数変換部５４が、Ａ／Ｄ変換部４３でデジタル化された信号のＩＦ周波数（ＩＦ＃ａ）を別々のＩＦ周波数（ＩＦ＃１〜Ｎ）に変換する。加算器３０は、各周波数変換部２８でダウンコンバートされた各信号を加算する。
アナログ変換手順（Ｓ２０４）〜ＢＢ変換手順（Ｓ２０９）については、実施形態１−１にて述べたとおりである。
【００６０】
ここで、ダウンコンバート手順Ｓ１１１及びＳ２１１において周波数変換部５１，５３が変換する周波数ＩＦ＃ａは、ＲＦよりも低い周波数である。このため実施形態１−２では、デジタル上でＲＦよりも低い周波数を扱うこととなり、実施形態１−１と比べ、Ａ／Ｄ変換部４２，４３に求められるサンプリング周波数が低減される。
【００６１】
なお、ＢＢＵ１０は、コンピュータを、変復調部１１、周波数変換部１３，１７、加算器１９、信号抽出部１６、Ｄ／Ａ変換部１２、Ａ／Ｄ変換部１８として機能させることで実現してもよい。この場合、ＢＢＵ１０内のＣＰＵ（Ｃｅｎｔｒａｌ  Ｐｒｏｃｅｓｓｉｎｇ  Ｕｎｉｔ）が、記憶部（不図示）に記憶されたコンピュータプログラムを実行することで、各構成を実現する。ＲＲＨ２０は、コンピュータを、信号抽出部２２、周波数変換部５１，５２，５３，５４、加算器３０、Ａ／Ｄ変換部４１，４３、Ｄ／Ａ変換部４２，４４として機能させることで実現してもよい。この場合、ＲＲＨ２０内のＣＰＵが、記憶部（不図示）に記憶されたコンピュータプログラムを実行することで、各構成を実現する。
【００６２】
（実施形態２−１）
実施形態２−１では、下りリンク通信時において、ＢＢＵ１０側で電力調整を行う。実施形態２−１適用時のＲＲＨ２０の装置構成は実施形態１−１の場合と同じである。
【００６３】
実施形態２−１に係るＢＢＵ１０の装置構成例を図１１に示す。本実施形態のＢＢＵ１０は、実施形態１−１と異なり、無線信号別電力調整部３１を備える。
【００６４】
図１２に、本実施形態に係る下りリンクの分散型無線通信基地局通信方法の一例を示す。本実施形態に係る下りリンクの分散型無線通信基地局通信方法は、実施形態１−１で説明したＩＦ変換手順（Ｓ１０１）の前に、電力調整手順（Ｓ１１３）をさらに有する。
【００６５】
電力調整手順（Ｓ１１３）では、無線信号別電力調整部３１が、変復調部１１から出力されたアンテナ＃ｉごとの信号に対して電力調整を行う。調整する電力値は、Ｄ／Ａ変換部１２やＯ／Ｅ変換部４１等のデバイスの周波数特性に応じて決定する。
【００６６】
無線信号別電力調整部３１の装置構成例を図１３に示す。無線信号別電力調整部３１は、調整電力決定部３１１と、各無線信号に対して係数を乗算する１タップの乗算器３１２を備える。Ｄ／Ａ変換部１２やＯ／Ｅ変換部４１等のデバイスの周波数特性を予め測定しておき、それらを調整電力決定部３１１に入力する。調整電力決定部３１１は、受信側のＡ／Ｄ変換部４１におけるＡ／Ｄ変換後の各無線信号の電力が揃うよう、係数を算出して出力する。調整電力決定部３１１への入力は、運用開始前に行う。
【００６７】
図１４に、ＢＢＵ１０及びＲＲＨ２０における信号の一例を示す。図１４（ａ）に示すように、無線信号別電力調整部３１１で電力調整された信号が、無線信号別電力調整部３１から出力される。このとき、周波数の高低に応じて電力を調整する。例えば、高周波数の信号は電力を大きくし、低周波数の信号は電力を小さくする。このように、電力調整された信号が、ＢＢＵ１０からＲＲＨ２０にアナログＲｏＦ伝送される。これら無線信号を、ＲＲＨ２０のＡ／Ｄ変換部４１で出力された時点で観測すると、図１４（ｂ）に示すように、各無線信号でほぼ等しい電力となっている。図３のように一部の無線信号の信号品質が要求値を満たさなかった場合であっても、図１４では全ての無線信号が要求信号品質を満たす。
【００６８】
実施形態２−１は、実施形態１−１だけでなく、実施形態１−２にも適用可能である。
【００６９】
なお、ＢＢＵ１０は、コンピュータを、変復調部１１、無線信号別電力調整部３１、周波数変換部１３，１７、加算器１９、信号抽出部１６、Ｄ／Ａ変換部１２、Ａ／Ｄ変換部１８として機能させることで実現してもよい。この場合、ＢＢＵ１０内のＣＰＵ（Ｃｅｎｔｒａｌ  Ｐｒｏｃｅｓｓｉｎｇ  Ｕｎｉｔ）が、記憶部（不図示）に記憶されたコンピュータプログラムを実行することで、各構成を実現する。ＲＲＨ２０は、コンピュータを、信号抽出部２２、周波数変換部２３，２８、加算器３０、Ａ／Ｄ変換部４１，４３、Ｄ／Ａ変換部４２，４４として機能させることで実現してもよい。この場合、ＲＲＨ２０内のＣＰＵが、記憶部（不図示）に記憶されたコンピュータプログラムを実行することで、各構成を実現する。
【００７０】
（実施形態２−２）
実施形態２−２では、上りリンク通信時において、ＲＲＨ２０側で電力調整を行う。実施形態２−２適用時のＢＢＵ１０の装置構成は実施形態１−１の場合と同じである。
【００７１】
実施形態２−２に係るＲＲＨ２０の装置構成例を図１５に示す。本実施形態のＲＲＨ２０は、実施形態１−１と異なり、無線信号別電力調整部６１を有する。
【００７２】
図１６に、本実施形態に係る上りリンクの分散型無線通信基地局通信方法の一例を示す。本実施形態に係る上りリンクの分散型無線通信基地局通信方法は、実施形態１−１で説明したデジタル変換手順（Ｓ２０１）とＩＦ変換手順（Ｓ２０２）の間に、電力調整手順（Ｓ２１３）をさらに有する。
【００７３】
電力調整手順（Ｓ２１３）では、無線信号別電力調整部６１が、Ａ／Ｄ変換部４３からの各アンテナ２６の信号に対して電力調整を行う。調整する電力値は、Ｄ／Ａ変換部４４やＯ／Ｅ変換部１５等のデバイスの周波数特性に応じて決定する。無線信号別電力調整部６１の装置構成例は、図１３に示す無線信号別電力調整部３１と同じである。
【００７４】
実施形態２−２は、実施形態１−１だけでなく、実施形態１−２にも適用可能である。
【００７５】
なお、ＢＢＵ１０は、コンピュータを、変復調部１１、周波数変換部１３，１７、加算器１９、信号抽出部１６、Ｄ／Ａ変換部１２、Ａ／Ｄ変換部１８として機能させることで実現してもよい。この場合、ＢＢＵ１０内のＣＰＵが、記憶部（不図示）に記憶されたコンピュータプログラムを実行することで、各構成を実現する。ＲＲＨ２０は、コンピュータを、信号抽出部２２、周波数変換部２３，２８、加算器３０、Ａ／Ｄ変換部４１，４３、Ｄ／Ａ変換部４２，４４、無線信号別電力調整部６１として機能させることで実現してもよい。この場合、ＲＲＨ２０内のＣＰＵが、記憶部（不図示）に記憶されたコンピュータプログラムを実行することで、各構成を実現する。
【００７６】
（実施形態２−３）
実施形態２−３では、上りまたは下りリンク通信時において、受信信号の各無線帯域の電力値またはＥＶＭ（Ｅｒｒｏｒ  Ｖｅｃｔｏｒ  Ｍａｇｎｉｔｕｄｅ）値を、無線信号とは別のＩＦ帯へ周波数変換して送信側へ伝送する。送信側はこれら情報を基に、電力調整を行う。
【００７７】
図１７に、本実施形態に係るＢＢＵ１０の装置構成例を示す。本実施形態に係るＢＢＵ１０は、実施形態１と異なり、下りリンク通信の電力調整のため、上り信号のあるＩＦ帯の信号を抽出する制御信号抽出部３２と、ＩＦ帯の制御信号をベースバンド帯にダウンコンバートする周波数変換部（ＩＦ帯＃Ｎ＋１→ＢＢ）３３を有する。制御信号を無線信号別電力調整部３１の調整電力決定部３１１に入力し、各無線信号に対する電力値を決定する。また上りリンク通信の電力調整のために、上りリンクにおいて受信した各無線信号の電力値またはＥＶＭ値を算出して変調した制御信号作成部３４と、作成された制御信号を各無線信号とは別のＩＦ帯へアップコンバートする周波数変換部（ＢＢ→ＩＦ＃Ｎ＋１）３５を有する。
【００７８】
図１８に、本実施形態に係るＲＲＨ２０の装置構成例を示す。本実施形態に係るＲＲＨ２０は、実施形態１と異なり、下りリンク通信の電力調整のため、下りリンクにおいて受信した各無線信号の電力値またはＥＶＭ値を算出して変調した制御信号作成部６２と、作成された制御信号を各無線信号とは別のＩＦ帯へアップコンバートする周波数変換部（ＢＢ→ＩＦ＃Ｎ＋１）５５を有する。また上りリンク通信の電力調整のため、下り信号のあるＩＦ帯の信号を抽出する制御信号抽出部６３と、ＩＦ帯の制御信号をベースバンド帯にダウンコンバートする周波数変換部（ＩＦ帯＃Ｎ＋１→ＢＢ）５６を有する。制御信号を無線信号別電力調整部６１の調整電力決定部３１１に入力し、各無線信号に対する電力値を決定する。
【００７９】
図１９に、本実施形態に係る下りリンクの分散型無線通信基地局通信方法の一例を示す。本実施形態に係る下りリンクの分散型無線通信基地局通信方法は、実施形態１−１で説明したＩＦ変換手順（Ｓ１０１）の前に、電力調整手順（Ｓ１１３）をさらに有する。
【００８０】
電力調整手順（Ｓ１１３）では、無線信号別電力調整部３１が、変復調部１１から出力されたアンテナ＃ｉごとの信号に対して電力調整を行う。このとき、無線信号別電力調整部３１の調整電力決定部３１１は、周波数変換部３３からの制御信号に基づいて電力値を決定する。周波数変換部３３からの制御信号は、制御信号作成部６２の作成した制御信号である。このため、本実施形態に係るシステムは、下りリンク通信時における受信信号の各無線帯域の電力値若しくはＥＶＭ値又はこれらの両方を適切にすることができる。
【００８１】
図２０に、本実施形態に係る上りリンクの分散型無線通信基地局通信方法の一例を示す。本実施形態に係る下りリンクの分散型無線通信基地局通信方法は、実施形態１−１で説明したデジタル変換手順（Ｓ２０１）とＩＦ変換手順（Ｓ２０２）の間に、電力調整手順（Ｓ２１３）をさらに有する。
【００８２】
電力調整手順（Ｓ２１３）では、無線信号別電力調整部６１が、Ａ／Ｄ変換部４３からの各アンテナ２６の信号に対して電力調整を行う。このとき、無線信号別電力調整部６１の調整電力決定部３１１は、周波数変換部５６からの制御信号に基づいて電力値を決定する。周波数変換部５６からの制御信号は、制御信号作成部３４の作成した制御信号である。このため、本実施形態に係るシステムは、上りリンク通信時における受信信号の各無線帯域の電力値若しくはＥＶＭ値又はこれらの両方を適切にすることができる。
【００８３】
実施形態２−３は、実施形態１−１だけでなく、実施形態１−２にも適用可能である。
【００８４】
本実施形態に係るシステムは、ＢＢＵ１０が制御信号作成部３４及び周波数変換部３５を備え、ＲＲＨ２０が制御信号抽出部６３、周波数変換部５６及び無線信号別電力調整部６１を備えるため、下りリンク通信時における受信信号の各無線帯域の電力値若しくはＥＶＭ値又はこれらの両方を適切にすることができる。このように、無線信号ごとに電力調整を行うことで、要求信号品質を満たす無線信号数が増大する。
【００８５】
本実施形態に係るシステムは、ＲＲＨ２０が制御信号作成部６２及び周波数変換部５５を備え、ＢＢＵ１０が制御信号抽出部３２、周波数変換部３３及び無線信号別電力調整部３１を備えるため、上りリンク通信時における受信信号の各無線帯域の電力値若しくはＥＶＭ値又はこれらの両方を適切にすることができる。このように、無線信号ごとに電力調整を行うことで、要求信号品質を満たす無線信号数が増大する。
【００８６】
本実施形態では、ＢＢＵ１０及びＲＲＨ２０の制御信号の通信時にＤＳＰを活用した周波数変換により、ＩＦ周波数及びＩＦ周波数の数の変更が容易となる。ＤＳＰを活用した信号抽出により、アナログデバイスに制限されることなく遷移帯域幅の狭いフィルタリング処理を実現し、無線信号の周波数間隔を狭めることができる。
【００８７】
なお、ＢＢＵ１０は、コンピュータを、変復調部１１、周波数変換部１３，１７，３３，３５、加算器１９、信号抽出部１６、Ｄ／Ａ変換部１２、Ａ／Ｄ変換部１８、制御信号抽出部３２、制御信号作成部３４として機能させることで実現してもよい。この場合、ＢＢＵ１０内のＣＰＵが、記憶部（不図示）に記憶されたコンピュータプログラムを実行することで、各構成を実現する。ＲＲＨ２０は、コンピュータを、信号抽出部２２、周波数変換部２３，２８，５５，５６、加算器３０、Ａ／Ｄ変換部４１，４３、Ｄ／Ａ変換部４２，４４、制御信号抽出部６３、制御信号作成部６２として機能させることで実現してもよい。この場合、ＲＲＨ２０内のＣＰＵが、記憶部（不図示）に記憶されたコンピュータプログラムを実行することで、各構成を実現する。
【産業上の利用可能性】
【００８８】
本発明は情報通信産業に適用することができる。
【符号の説明】
【００８９】
１０：ＢＢＵ
１１：変復調部
１２：Ｄ／Ａ変換部
１３：周波数変換部
１４：Ｅ／Ｏ変換部
１５：Ｏ／Ｅ変換部
１６：信号抽出部
１７：周波数変換部
１８：Ａ／Ｄ変換部
１９：加算器
２０：ＲＲＨ
２１：Ｏ／Ｅ変換部
２２：信号抽出部
２３：周波数変換部
２４：増幅器
２５：送受切替部
２６：アンテナ
２７：増幅器
２８：周波数変換部
２９：Ｅ／Ｏ変換部
３０：加算器
３１：無線信号別電力調整部
３２：制御信号抽出部
３３：周波数変換部（ＩＦ帯＃Ｎ＋１→ＢＢ）
３４：制御信号作成部
３５：周波数変換部（ＢＢ→ＩＦ＃Ｎ＋１）
４１：Ａ／Ｄ変換部
４２：Ｄ／Ａ変換部
４３：Ａ／Ｄ変換部
４４：Ｄ／Ａ変換部
５１：周波数変換部（ＩＦ＃ｉ→ＩＦ＃ａ）（ｉ＝１，２，３…Ｎ）
５２：周波数変換部（ＩＦ＃ａ→ＲＦ）
５３：周波数変換部（ＲＦ→ＩＦ＃ａ）
５４：周波数変換部（ＩＦ＃ａ→ＩＦ＃ｉ）（ｉ＝１，２，３…Ｎ）
５５：周波数変換部（ＢＢ→ＩＦ＃Ｎ＋１）
５６：周波数変換部（ＩＦ帯＃Ｎ＋１→ＢＢ）
６１：無線信号別電力調整部
６２：制御信号作成部
６３：制御信号抽出部
【図１】
2015220524.tif 000003
【図２】
2015220524.tif 000004
【図３】
2015220524.tif 000005
【図４】
2015220524.tif 000006
【図５】
2015220524.tif 000007
【図６】
2015220524.tif 000008
【図７】
2015220524.tif 000009
【図８】
2015220524.tif 000010
【図９】
2015220524.tif 000011
【図１０】
2015220524.tif 000012
【図１１】
2015220524.tif 000013
【図１２】
2015220524.tif 000014
【図１３】
2015220524.tif 000015
【図１４】
2015220524.tif 000016
【図１５】
2015220524.tif 000017
【図１６】
2015220524.tif 000018
【図１７】
2015220524.tif 000019
【図１８】
2015220524.tif 000020
【図１９】
2015220524.tif 000021
【図２０】
2015220524.tif 000022